(57)【要約】    【課題】  本発明は放送室又は統制室外部でも無線で放送システムを制御する。    【解決手段】  放送システムを制御するプログラムをPDAに搭載し、上記PDAで使用者の操作による信号を伝送媒体であるブルートゥース(あるいは無線LAN、赤外線ポートなど)を用いて送出し、上記送出信号を分配器の信号変換装置で受信して、上記受信された信号をマイクロプロセッサーでそれぞれの制御しようとするコントローラーへ伝送して、放送システムを制御する構成となっている。上記分配器は232C、1394、USBの中、少なくともいずれか一つを採択する。本発明によれば放送室又は統制室の外部でも放送装備を遠隔制御することができる。【選択図】  図３
2008518546.tif 000002
【特許請求の範囲】
【請求項１】
放送システムであって、
放送システムを制御するプログラムが搭載されたPDAと、
上記PDAに搭載されたプログラムの駆動によって、制御信号を無線で送出する無線送出部と、
上記の無線信号を受けて、放送装備を制御する分配器と、を含んで、
上記分配器の制御信号によって、放送装備を制御することを特徴とするPDAを用いた放送装備遠隔制御システム。
【請求項２】
上記分配器は232C、1394、USBの中、少なくともいずれか一つを採択することを特徴とする請求項１に記載のPDAを用いた放送装備遠隔制御システム。
【請求項３】
放送システムであって、
放送システムを制御するプログラムが搭載されたPDAと上記PDAの制御信号を無線で送出し、
上記の送出された制御信号を232C分配器の信号変換装置で受信し、
上記232C分配器によって受信された制御信号は、優先順位を計算する信号演算処理回路に入力され、
上記信号演算処理装置に入力された信号は、上記制御命令を遂行するマイクロコントローラーへ伝送し、
上記マイクロコントローラーの制御命令によって、制御命令信号の優先順位などを処理して、各々RS232Cドライバーに入力されて、メインコントローラー、電源コントローラー、スピーカーコントローラー、リモートコントローラー、パン・チルトコントローラーを制御することを特徴とするPDAを用いた放送装備遠隔制御システム。
【請求項４】
上記のメインコントローラーは、
出力ポートのオン/オフ(ON/OFF)機能、入力ソースの選択機能、ボリューム制御機能、オーディオミキサーの機能を遂行することを特徴とする請求項3に記載のPDAを用いた放送装備遠隔制御システム。
【請求項５】
上記の電源コントローラーは、
放送室内の各種装置の照明、システム電源、電動背景スクリーンを制御することを特徴とする請求項3に記載のPDAを用いた放送装備遠隔制御システム。
【請求項６】
上記のスピーカーコントローラーは、
該当チャンネルの個別/グループ/全体単位でスピーカーのオン/オフ機能を遂行することを特徴とする請求項3に記載のPDAを用いた放送装備遠隔制御システム。
【請求項７】
上記のリモートコントローラーは、
A/V装備を制御することを特徴とする請求項3に記載のPDAを用いた放送装備遠隔制御システム。
【請求項８】
上記のパン・チルトコントローラーは、
カメラの画面を上下左右に移動させるパン・チルトを制御する機能とズーム、フォーカスを制御することを特徴とする請求項3に記載のPDAを用いた放送装備遠隔制御システム。
【発明の詳細な説明】
【技術分野】
【０００１】
本発明は放送室の放送システム又は各種電子装備を屋内あるいは屋外で無線で制御するための方法およびそのシステムに関する。
【背景技術】
【０００２】
従来技術において、本出願人は、放送システムの場合、ビデオミキサー、オーディオミキサー、機械式A/V装置を統合して、上記の装置を制御するプログラムをコンピュータに搭載し、上記コンピュータのGUI環境で使用者の手軽な操作で放送システム(登録特許第418695号)を提供した。
【０００３】
前記の従来技術を添付した図1によって説明すると、ビデオミキサー、オーディオミキサー、機械式A/V装置を統合した電子式制御装置および上記電子式制御装置を制御するためプログラムを搭載したコンピュータ100および上記コンピュータ100で制御できない場合、手動で放送システムを運営するためのコントロールパネル10,20、コンピュータのシリアルポートと各装置パン・チルトコントローラー、ビデオコントローラー、スピーカーコントローラー、電源コントローラー、電子式制御装置を連結する232C分配器200で構成され、カメラのパン・チルトを制御するパン・チルトコントローラー、A/V装置を制御するビデオコントローラー、スピーカーを制御するスピーカーコントローラー、放送室の照明又はシステム電源を制御するパワーコントローラーが各々232C分配器200に連結されている。
【０００４】
これはプログラムを搭載したコンピュータの入力信号を、使用者が動くマウスあるいはタッチスクリーンを用いて、上記入力信号を通じる放送システムの制御で、放送室内でのみ上記の放送システムを制御することができたため、限定された空間でしか放送室の放送システムを制御できないとの問題があった。
【発明の開示】
【発明が解決しようとする課題】
【０００５】
本発明は、前記の問題点を改善しようとするものであって、放送の制御システムプログラムを搭載したPDA、上記PDAで制御する信号を送出する送出部、上記送出される信号を受信して、信号を変換する分配器を含んで、無線で放送システムを制御することによって、放送室又は統制室だけでなく放送室又は統制室外部でも放送室の放送システムを制御する方法およびそのシステムを提供することにその目的がある。
【課題を解決するための手段】
【０００６】
上記の目的を達成するため放送システム又は各種統制システムを制御するプログラムをPDA(Personal Digital Assistants)に搭載し、上記PDAで使用者の操作による信号を無線送信媒体である無線LAN(あるいは赤外線ポート、ブルートゥースなど)等の無線送出部を用いて送出し、上記送出信号を分配器の信号変換装置で受信して、上記受信された信号をマイクロプロセッサーで制御しようとするそれぞれのコントローラーへ伝送して制御する構成となっている。上記分配器は232C、1394、USBの中、少なくともいずれか一つを採択する。
【発明の効果】
【０００７】
本発明によれば、放送室又は統制室の外部でも放送装備を遠隔制御することができる。
【発明を実施するための最良の形態】
【０００８】
以下、添付した図面を参照して詳しく説明する。
【０００９】
図2は、本発明に係る簡略的なシステム構成図である。
【００１０】
本発明は、まず放送システム又は各種統制システムを制御する装置であって、上記放送システムを制御するプログラムが搭載されたコンピュータ100とPDA400があり、コンピュータとPDAの制御信号を受信して、各装置に制御信号を送出する信号変換装置である分配器200を含んで構成される。上記分配器は232C,1394、USBの中、少なくともいずれか一つを採択して、上記の分配器200にはPDA400から伝送された無線信号をRS232,1394又はUSB信号に変換する信号変換装置300が内蔵される。
【００１１】
コンピュータと分配器とは、有線で連結することが望ましく、PDAと分配器とは、無線で連結する。
【００１２】
コンピュータから伝送された制御信号を分配器で受けて、それぞれの装置へ伝送されて放送システムを制御するが、コンピュータの異常で、あるいは放送室ではないところで放送システムを制御しようとする場合には、PDAに搭載されたプログラムを駆動して、無線で分配器へ伝送し、上記分配器では上記PDAから送出される制御信号を受けて、各装置を制御する信号に変換して、各装置を制御する。
【００１３】
前記のPDAは、無線送受信手段として赤外線、ブルートゥース、無線LANなどを用いて構成することができる。
【００１４】
前記の無線でなる通信方法は、公知の技術であって、当業者が容易に理解できるものであるので、これに対する説明はしない。また、以下分配器は、一実施の形態であって、232Cを採択したものを中心に説明することにする。
【００１５】
図3は本発明によるシステム構成を示した図面である。
【００１６】
全体的な構成は、上記放送システムを制御するプログラムが搭載されたPDA400と、ブルートゥース401(又は無線LAN402、赤外線ポート403)を用いて上記制御信号を送出し、上記の信号は、232C分配器200の信号変換装置220で受信して、優先順位を計算する信号演算処理回路230を通じて、上記マイクロコントローラー240へ伝送し、上記マイクロコントローラーの制御命令によって、制御命令信号の優先順位などを処理して、各々RS232Cドライバー250,251,252,25,254へ伝送し、メインコントローラー260、電源コントローラー261、スピーカーコントローラー262、リモートコントローラー263、パン・チルトコントローラー264等の装置を制御するものから成っている。
【００１７】
上記のコンピュータと232C分配器の連結およびPDAと232C分配器との連結は、前述したように、各々有線と無線で連結されることが望ましい。上記PDA400と232C分配器200との無線連結は、本発明の目的に応じるためであって、放送室又は統制室でない放送室又は統制室外部でも放送システムを制御するためである。
【００１８】
コンピュータ100の制御信号を232C分配器200で受けてなる放送システムは、本出願人によって、出願されて登録された登録第418695号に詳しく説明されているが、簡略的に説明すると、コンピュータ100に放送システムの各装置を制御するためのプログラムを搭載し、上記コンピュータ100の制御信号を232C分配器200のRS232Cドライバー210を通じて、制御命令によって、優先順位を計算する信号演算処理回路230を介して上記マイクロコントローラー240へ伝送し、上記マイクロコントローラー240は、更に各装置を制御する信号に変換するため、RS232Cドライバー250,251,252,253,254を通じて各装置を制御する。
【００１９】
上記の構成はただ有線で作動するシステムであって、本発明による放送制御システムは、PDA400には放送制御システムを制御するプログラム(アプリケーション)を搭載し、制御信号は無線送信媒体であるブルートゥース401、無線LAN402、赤外線ポート403等を用いて、無線で232C分配器200の信号変換装置220へ伝送されて、上記の信号変換装置は、無線の信号をRS232信号に変換する装置である。
【００２０】
また、上記の信号変換装置220から送出された信号は、まず順位を決定する信号演算処理回路230に入力される。上記の信号演算処理回路から送出された信号は、制御命令を遂行するマイクロコントローラー240へ伝送され、上記マイクロコントローラーの制御命令によって、制御命令信号の優先順位などを処理して、各々RS232Cドライバー250,251,252,253,254に入力される。上記それぞれのRS232Cドライバー250,251,252,253,254は、それぞれのコントローラーの個数分必要である。
【００２１】
一方、232C分配器のRS232Cドライバーの信号によって、それぞれのコントローラーの機能について説明すると、メインコントローラー(260、Main Controller)は、出力ポートのオン/オフ(ON/OFF)機能、入力ソースの選択機能(A/V MATRIX機能)、ボリューム制御機能、オーディオミキサーの機能を遂行し、電源コントローラー(261、Power Controller)は、放送室内の各種装置の照明、システム電源、電動背景スクリーンを制御する電源などをオン/オフし、スピーカーコントローラー(262、Speaker Controller)は、該当チャンネルの個別/グループ/全体単位でスピーカーのオン/オフ機能を遂行し、リモートコントローラー(263、Remote Controller)は、オーディオ装置とビデオ装置を制御するA/V装備を制御する機能を遂行し、パン・チルトコントローラー(264、Pantilt Controller)は、カメラの画面を上下左右に移動させるパン・チルトおよびズーム、フォーカスを制御する機能を遂行する。
【００２２】
図4ないし図10は、PDAに搭載されたプログラムを実行した場合、PDAにディスプレーされる画面を示した一実施の形態の画面であって、各々に対して説明する。
【００２３】
図4は、プログラムを実行したメイン画面であって、本発明のPDAに放送制御システムプログラムを実行した場合に示される画面である。
【００２４】
画面上に表示されたアイコンがクリックされると、対応する放送装備又は各装備を制御するプログラムが実行される。
【００２５】
図5は図4のA/V MATRIXアイコンをクリックした場合に示される出力画面であって、出力ポートのオン/オフ(ON/OFF)機能と入力ソースを選択することができ、ボリューム制御、オーディオミキサーの機能を遂行する。オーディオミキサーの機能は、オーディオ装備4チャンネルとマイク4チャンネルに選択されて機能を遂行する。したがってA/V MATRIX機能は、各出力ポートに入力ソースおよびオーディオミキサーを選択できるので、多元化放送の機能を遂行する。
【００２６】
図6は図4のA/V MIXERアイコンをクリックした場合に示される出力画面であって、2つの映像入力ソースを選択して、映像効果機能を遂行する。2つの映像入力ソースを選択して、画面分割、PIP(Picture In Picture)、モザイク、停止画面、白黒化画面、オーバーレイ機能を選択的に遂行する。
【００２７】
図7は図4のREMOCONアイコンをクリックした場合に示される出力画面であって、A/V装備をリモートコントローラーと連結されて、各装備の制御命令を送る。 A/V装備の設定は、図4の環境設定を通じて設定することができる。
【００２８】
図8は図4のPOWERアイコンをクリックした場合に示される出力画面であって、放送室内の各種装備、システム照明、電動背景スクリーンをパワーコントローラーと連結して制御命令を伝送する。各種照明、システム電源、電動背景スクリーンの設定は、図4の環境設定を通じて設定することができる。
【００２９】
図9は図4のSPEAKERアイコンをクリックした場合に示される出力画面であって、スピーカーコントローラーと連結されて、遠隔該当チャンネルの個別/グループ/全体単位で制御命令を伝送する。スピーカーコントローラーの使用数量によって、図4の環境設定を通じて、使用チャンネルを設定することができる。
【００３０】
図10は図4のCAMERAアイコンをクリックした場合に示される出力画面であって、パン・チルトコントローラーと連結されて、カメラズーム(Zoom)、フォーカス(Focus)、上、下、左、右の遠隔制御命令を遂行する。
【００３１】
本発明によれば、放送制御システム又は各種電子装備を制御するプログラムを搭載したPDAによって、放送室だけでなく放送室外部でも放送室の放送システムを制御することができる。
【００３２】
上記のPDAのアイコンクリックで出力ポート、音消去、ボリューム調節、オーディオミキサーの機能とA/V MIXER、A/V装置、システム電源、照明、スピーカーコントローラー、カメラのパン・チルト、VTR/DECK/DVDコンボなどを放送室でない外部で制御することができる。
【図面の簡単な説明】
【００３３】
【図１】従来の放送室制御システムを簡略的に示した図面である。
【図２】本発明に係る簡略的なシステム構成図である。
【図３】本発明に係るシステム構成を示した図面である。
【図４】本発明のPDAに放送制御システムプログラムを実行した場合に示される一実施の形態画面である。
【図５】図4のA/V  MATRIXアイコンをクリックした場合に示される出力画面である。
【図６】図4のA/V MIXERアイコンをクリックした場合に示される出力画面である。
【図７】図4のREMOCONアイコンをクリックした場合に示される出力画面である。
【図８】図4のPOWERアイコンをクリックした場合に示される出力画面である。
【図９】図4のA/V MIXERアイコンをクリックした場合に示される出力画面である。
【図１０】図4のCAMERAアイコンをクリックした場合に示される出力画面である。
【図１】
2008518546.tif 000003
【図２】
2008518546.tif 000004
【図３】
2008518546.tif 000005
【図４】
2008518546.tif 000006
【図５】
2008518546.tif 000007
【図６】
2008518546.tif 000008
【図７】
2008518546.tif 000009
【図８】
2008518546.tif 000010
【図９】
2008518546.tif 000011
【図１０】
2008518546.tif 000012
【国際調査報告】
2008518546.tif 000013
2008518546.tif 000014